(57)【要約】【課題】形状や給電端子位置の微妙に異なる略板状の２次電池に対応でき、しかも、電池を安定させて収納できる汎用充電器を提供すること。【解決手段】電力源と、電力源から外部への電力供給を制御する回路とを有し、略板状の２次電池を充電する充電器であり、充電対象の電池を収納する収納部と、充電対象の電池の端子に接続して電力供給する２つの給電端子と、それら給電端子を、２つの給電端子の並びに沿った方向へ移動させて位置調整する給電端子位置調整手段とを備える。２つの給電端子の＋／−極性を反転させる回路と、その回路を制御する操作スイッチを設けてもよい。【選択図】図１
2010288446.tif 000002
【特許請求の範囲】
【請求項１】
電力源と、電力源から外部への電力供給を制御する回路とを有し、略板状の２次電池を充電する充電器であり、
充電対象の電池を収納する収納部と、
充電対象の電池の端子に接続して電力供給する２つの給電端子と、
それら給電端子を、２つの給電端子の並びに沿った方向へ移動させて位置調整する給電端子位置調整手段と
を備えることを特徴とする充電器。
【請求項２】
電力源と、電力源から外部への電力供給を制御する回路とを有し、略板状の２次電池を充電する充電器であり、
充電対象の電池を収納する収納部と、
充電対象の電池の端子に接続して電力供給する２つの給電端子と、
それら給電端子を、２つの給電端子の並びに沿った方向と略垂直な方向へ移動させて位置調整する給電端子位置調整手段と
を備えることを特徴とする充電器。
【請求項３】
給電端子を覆う外装を透明にして、
給電端子を位置調整時に視認可能にした
請求項１または２に記載の充電器。
【請求項４】
２つの給電端子の＋／−極性を反転させる回路と、その回路を制御する操作スイッチを備える
請求項１ないし３のいずれかに記載の充電器。
【請求項５】
収納部が、上部の開口した凹溝であり、
その収納部に、充電対象の電池が嵌合可能である
請求項１ないし４のいずれかに記載の充電器。
【請求項６】
収納部に収納された充電対象の電池の位置を調整すると共に、給電端子に向かって所定の範囲内で付勢する弾性体を備える電池位置調整部材が具備された
請求項１ないし５のいずれかに記載の充電器。
【請求項７】
各給電端子が、２つの接点を備え、
その２つの接点の配置が、２つの給電端子の並びに沿った方向と略垂直な方向である
請求項１ないし６のいずれかに記載の充電器。
【発明の詳細な説明】
【技術分野】
【０００１】
本発明は、デジタルカメラ等の携帯式電子機器に設けられる略板状の２次電池を充電する充電器に関する。
【背景技術】
【０００２】
デジタルカメラや携帯電話の普及と多機能化が進んでいる。それに伴い、長時間使用する機会が増え、使用中に電池切れすることも少なくない。
また、デジタルカメラ等に内蔵される充電式電池は、メーカーや機種によって、規格が微妙に異なるため、機器付属の充電器を使い回すことが困難である。
【０００３】
このような充電器に関する従来技術として、例えば特許文献１〜５が挙げられる。
【先行技術文献】
【特許文献】
【０００４】
【特許文献１】特開２００７−１１６３６９  「携帯電子機器ユニット」
【特許文献２】特開２００５−２０９６３  「デジタルカメラ用携帯充電器」
【特許文献３】特開２００３−３０９９３０  「デジタルカメラの携帯用充電器」
【特許文献４】特開２００１−３４６３３５  「充電器」
【特許文献５】実用新案登録第３１２４６５９号  「携帯式電子装置の電池充電器」
【０００５】
しかし、従来技術では、メーカーや機種によって微妙に異なる規格に対応させて使い回せる汎用の充電器はなかった。
【発明の概要】
【発明が解決しようとする課題】
【０００６】
そこで、本発明は、形状や給電端子位置の微妙に異なる略板状の２次電池に対応でき、しかも、電池を安定させて収納できる汎用充電器を提供することを課題とする。
【課題を解決するための手段】
【０００７】
上記課題を達成するため、本発明の充電器は、次の構成を備える。
すなわち、電力源と、電力源から外部への電力供給を制御する回路とを有し、略板状の２次電池を充電する充電器であり、充電対象の電池を収納する収納部と、充電対象の電池の端子に接続して電力供給する２つの給電端子と、それら給電端子を、２つの給電端子の並びに沿った方向へ移動させて位置調整する給電端子位置調整手段とを備えることを特徴とする。
【０００８】
また、電力源と、電力源から外部への電力供給を制御する回路とを有し、略板状の２次電池を充電する充電器であり、充電対象の電池を収納する収納部と、充電対象の電池の端子に接続して電力供給する２つの給電端子と、それら給電端子を、２つの給電端子の並びに沿った方向と略垂直な方向へ移動させて位置調整する給電端子位置調整手段とを備えることを特徴とする。
なお、給電端子位置調整手段は、２つの給電端子の並びに沿った方向と、それに略垂直な方向との双方へ移動可能に構成してもよい。
【０００９】
ここで、給電端子を覆う外装を透明にして、給電端子を位置調整時に視認可能にして、電池設置の利便に寄与させてもよい。
【００１０】
また、２つの給電端子の＋／−極性を反転させる回路と、その回路を制御する操作スイッチを設けて、汎用化や電池設置の利便に寄与させてもよい。
【００１１】
収納部を上部の開口した凹溝とし、その収納部に充電対象の電池が嵌合可能な構造にして、電池設置の利便に寄与させてもよい。
【００１２】
収納部に収納された充電対象の電池の位置を調整すると共に、給電端子に向かって所定の範囲内で付勢する弾性体を備える電池位置調整部材を設けて、電池の安定設置に寄与させてもよい。
【００１３】
各給電端子に、２つの接点を設け、その２つの接点の配置を、２つの給電端子の並びに沿った方向と略垂直な方向にしてもよい。
【発明の効果】
【００１４】
本発明によると、給電端子位置調整手段によって、２つの給電端子の位置が調整されるので、形状や給電端子位置の微妙に異なる略板状の２次電池に対応できる。
【図面の簡単な説明】
【００１５】
【図１】本発明による充電器の正面図
【図２】同、斜視図
【図３】同、一部外装を外した状態の底面斜視図
【図４】別実施例による充電器の正面図
【図５】同、平面図
【図６】給電端子操作スイッチ周辺を示す正面説明図
【図７】軸体周辺を示す正面断面説明図
【図８】別実施例の充電器の正面図
【図９】同、平面断面図
【図１０】別実施例による充電器の正面図
【図１１】同、平面図
【図１２】同、斜視図
【発明を実施するための最良の形態】
【００１６】
以下に、本発明の実施形態を図面に基づいて説明する。
ここでは、デジタルカメラに多用されている略板状の２次電池の１形状を例示するが、本発明は、別形状のリチウムイオン電池、ニッカド電池、ニッケル水素電池など、２次電池一般に適用可能である。
【００１７】
図１及び２は、本発明による充電器の正面図及び斜視図、図３は、一部外装を外した状態の底面斜視図であり、本体を開いた内部を示したものである。
充電器の本体内部には、電力源と、その電力源から外部への電力供給を制御する回路とが備わる。電力源としては、背部等に備わる蓋を開いて設置される内蔵充電池や乾電池などを用いることができる。また、ＡＣコンセントを付設し、家屋のＡＣタップに接続して内蔵充電池を充電したり、ＵＳＢ接続端子を付設し、ＰＣに接続して内蔵充電池を充電できる構成にしてもよい。
【００１８】
本体中央部には、充電対象の略板状の２次電池（１０）を収納する空間である収納部（２０）が備わる。
収納部（２０）は、充電対象の略板状の電池（１０）の形状に合わせて、薄い直方体状に成形された凹溝であり、電池（１０）の出入のために、上部が開口している。
収納部（２０）の側壁に配備された給電端子（３０）に、電池（１０）の受電端子を合わせて、電池（１０）を挿入することで、凹溝に嵌合設置させられる。
【００１９】
給電端子（３０）は２つ備わり、それぞれ、電力源から外部への電力供給を制御する回路に接続されている。
そして、各給電端子（３０）（３０）の位置は、それぞれ独立に位置調整スイッチ（３１）（３１）によって調整される。
【００２０】
図示の例の位置調整スイッチ（３１）は、端部に給電端子（３０）が連なるネジ状であり、本体の上面に備わるガイド穴（２１）に、取付部材（３２）を介してネジ止めによって固定される。
すなわち、取付部材（３２）は、収納部（２０）の凹溝の側壁に沿って細長く複数本備わるガイド穴（２１）に対して、スライド自在に係合している。その取付部材（３２）に設けられた長孔（３３）に、ネジ状の位置調整スイッチ（３１）が貫通し、ネジ止めによって、長孔（３３）における位置とガイド穴（２１）における位置とが固定される。
長孔（３３）は、ガイド穴（２１）と垂直な方向に設けられているので、長孔（３３）及びガイド穴（２１）によって２次元的に、位置調整スイッチ（３１）の位置すなわち給電端子（３０）の位置が調整される。
【００２１】
また、取付部材（３２）には、収納部（２０）の凹溝の角底部に相応する位置に、底部給電端子（３０ａ）が付設されている。底部給電端子（３０ａ）は、取付部材（３２）に対して固定されているので、ガイド穴（２１）に沿った方向へのみ移動できる。
これによって、電池（１０）の角や底面に端子が位置している場合にも対応可能である。
【００２２】
給電端子（３０）を覆う外装部（２２）は透明なプラスチック類であり、給電端子（３０）の位置を調整する時に、視認により操作を容易に行える。
【００２３】
なお、２つの位置調整スイッチ（３１）（３１）はそれぞれ独立に操作されるが、連結可能に構成して、上下左右動を協調させてもよい。
【００２４】
収納部（２０）の底部には、給電端子（３０）へ向かって細長く続くガイド溝（２３）が備わり、それに付設された多数の段差（２３ａ）のいずれかに、軸体（４０）の根部（４１）が係合して位置固定される。この軸体（４０）により、収納部（２０）に収納された電池（１０）の位置が調整される。
軸体（４０）の給電端子（３０）に面する側には、給電端子に向かって付勢された弾性体（４２）が備わる。この弾性体（４２）の伸縮する幅は、ガイド溝（２３）の段差（２３ａ）の幅とほぼ同じか若干小さいことが好ましい。
これによって、収納部（２０）に収納された電池（１０）を、給電端子（３０）に向かって過剰に付勢することなく確実に接触させられる。
【００２５】
なお、電池（１０）が異常により膨張していれば、収納部（２０）から上方へ付勢して、給電端子（３０）との接触を解除するように構成してもよい。
【００２６】
充電したい電池（１０）によっては、その２つの端子の＋／−極性の並びがまちまちであり得る。そこで、２つの給電端子（３０）（３０）の＋／−極性を反転させる回路と、その回路を制御する操作スイッチ（２４）を設けた。操作スイッチ（２４）のスライドにより給電端子（３０）（３０）の＋／−極性を反転させられるので、電池（１０）を入れ直したり給電端子（３０）の位置の再設定をしなくて済む。
なお、このようなスイッチとしては、スライドスイッチやボタンなど従来公知のスイッチが適宜利用できる。
【００２７】
給電端子（３０）（３０）の＋／−極性の適否は、ライト（２５）によって表示される。
ライト（２５）は、点灯消灯や色によって、電源のＯＮ／ＯＦＦ状態や充電中か否かの状態を示す他に、＋／−極性の適否も表示可能である。例えば、＋／−極性が逆の場合には赤色点灯し、操作スイッチ（２４）のスライドによって＋／−極性を反転させて正しくなった時には緑色点灯させる。
また、電池（１０）には、通常３つの端子が備わっているので、適切でない端子に給電端子（３０）を誤って接続した場合にも、ライト（２５）によって同様に注意表示する。
【００２８】
図４及び５は、別実施例による充電器の正面図及び平面図、図６は、給電端子の位置調整スイッチ周辺を示す正面説明図であり、本体を開いた内部を示したものであり、図７は、軸体周辺を示す正面断面説明図である。
位置調整スイッチ（３１’）（３１’）は、本体の上面に備わるガイド溝（２６）に設けられる。
ガイド溝（２６）は、収納部（２０）の凹溝の側壁に沿って細長く、その側壁には、位置調整スイッチ（３１’）の突条（３４）が係合する条溝（２７）が備わる。突条（３４）と条溝（２７）との係合によって、位置調整スイッチ（３１’）が本体に取り付けられるが、その他従来公知の取り付け方が利用できる。
これによって、２つの位置調整スイッチ（３１’）（３１’）は、その並びに沿ってガイド溝（２１）内を移動可能である。
【００２９】
収納部（２０）の底部には、給電端子（３０）へ向かって細長く続くガイド溝（２３）が備わり、それに軸体（４０）の根部（４３）が係合する。ガイド溝（２３）と根部（４３）との係合によって、軸体（４０）を給電端子（３０）へ向かって位置調整できる。
軸体（４０）上部に備わる板状体（４４）を、軸体（４０）を軸にして回動可能に構成して、板状体（４４）によって電池（１０）を挟んで安定保持させてもよい。
【００３０】
図８及び９は、別実施例の充電器の正面図及び平面断面図である。
収納部（２０）には、電池（１０）を出入のための開口部を一部塞ぎ、電池（１０）の広い上面に接し得る透明のカバー（２８）が備わる。電池（１０）は、このカバー（２８）の下へ収納される。
収納部（２０）の底板の下部には、底板を上方へ付勢する弾性体（２９）が備わり、電池（１０）の高さ方向の位置が調整されると共に、収納状態が安定される。
【００３１】
２つの給電端子（３０）（３０）は、その２つの給電端子の並びに沿った方向に配置されたガイドレール（３５）に設置される。給電端子（３０）は、ピンやネジなどで構成される固定手段（３６）によって、ガイドレール（３５）に固定されるが、その固定時に、ガイドレール（３５）に沿った方向での位置と、高さ方向における傾斜が調整可能である。
なお、本実施例では、固定手段（３６）を本体の内部に設けたが、前記実施例のように、ガイド溝をスライドする部材として本体側部に露出させてもよい。
また、カバー（２８）を開閉式に設けてもよいし、前記実施例のように省いてもよい。
【００３２】
図１０〜１２は、別実施例による充電器の正面図、平面図、斜視図である。
本実施例の各給電端子（３０）（３０）には、それぞれ２つの端子接点（３０ｂ）（３０ｂ）が備わる。その２つの端子接点（３０ｂ）（３０ｂ）の配置は、２つの給電端子（３０）（３０）の並びに沿った方向と略垂直な方向である。
各端子接点（３０ｂ）（３０ｂ）は、弾性体を介して支持ブロック（３７）に植設され、支持ブロック（３７）から伸縮自在に設けられている。
【００３３】
各支持ブロック（３７）（３７）は、本体の上部に備わるガイド穴（２１’）に内挿されて設置される。
ガイド穴（２１’）は、収納部（２０）の凹溝の側壁に沿って細長い形状であり、外面に貫通している。
【００３４】
その外面側における支持ブロック（３７）には、位置調整スイッチ（３１”）が設置されている。
位置調整スイッチ（３１”）は、支持ブロック（３７）に固定されたネジ軸状であり、
そのネジ軸にナット（３１”ａ）が取り付けられている。ナット（３１”ａ）を弛めると、支持ブロック（３７）がガイド穴（２１’）に沿って移動可能となるので、給電端子（３０）の位置を変更でき、ナット（３１”ａ）を締めると、給電端子（３０）の位置が固定される。
【産業上の利用可能性】
【００３５】
本発明の充電器によると、形状や給電端子位置の微妙に異なる様々な略板状の２次電池に対応できるので汎用性あり、産業上利用価値が高い。
【符号の説明】
【００３６】
１０  充電対象の電池
２０  収納部
２１、２１’  位置調整スイッチのガイド穴
２２  外装部
２３  軸体のガイド溝
２３ａ  ガイド溝の段差
２４  極性反転の操作スイッチ
２５  ライト
２６  ガイド溝
２７  条溝
２８  カバー
２９  弾性体
３０  給電端子
３０ａ  底部給電端子
３０ｂ  端子接点
３１、３１’、３１”  給電端子の位置調整スイッチ
３１”ａ  ナット
３２  取付部材
３３  長孔
３４  突条
３５  ガイドレール
３６  固定手段
３７  支持ブロック
４０  軸体
４１、４３  根部
４２  弾性体
４４  板状体
【図１】
2010288446.tif 000003
【図２】
2010288446.tif 000004
【図３】
2010288446.tif 000005
【図４】
2010288446.tif 000006
【図５】
2010288446.tif 000007
【図６】
2010288446.tif 000008
【図７】
2010288446.tif 000009
【図８】
2010288446.tif 000010
【図９】
2010288446.tif 000011
【図１０】
2010288446.tif 000012
【図１１】
2010288446.tif 000013
【図１２】
2010288446.tif 000014